(57)【要約】【課題】温度測定が可能な低周波治療器を提供する。【解決手段】操作機能を有する本体１０を備え、複数の操作ボタン１１１が操作パネル１１上に形成され、少なくとも開始／停止ボタン、電気刺激パルス高／低調節ボタンおよび装置の状態を示す表示モニタ１２を備える。装置本体１０上には温度測定が可能な温度センサユニットが設けられ、温度センサユニットを人体の皮膚表面などの測定部位に貼合したとき、本装置は温度センサユニットを通じて測定温度データを装置内部に伝送し、表示モニタ１２にその温度を表示する。装置本体１０上には延伸温度センサユニット２０を挿入接続できるジャック１３１および延伸粘着パッド３０を挿入接続して電気刺激パルスを出力できるジャック１３２が設けられ、延長ケーブルによって使用者は遠端部位の温度測定およびマッサージを行うことができる。【選択図】  図４
0003127329.tif 000002
【実用新案登録請求の範囲】
【請求項１】
本体、表示モニタ、温度センサユニット、延伸温度センサユニットおよび延伸粘着パッドを備え、
前記本体は、操作機能を有して操作パネルを備え、この操作パネル上には複数の操作ボタンが設けられ、前記本体上には二つのジャックが設けられ、それぞれ温度信号の受信およびパルス信号の送信に使用され、
前記表示モニタは、前記操作パネル上に位置し、
前記温度センサユニットは、前記本体上に設けられて温度測定機能を有し、
前記延伸温度センサユニットおよび延伸粘着パッドは、延長ケーブルがそれぞれ接続され、それぞれ接続プラグを備え、それぞれ前記本体の二つのジャックに挿入接続が可能とされ、それによって遠端部位の温度測定およびマッサージを行うことができるようにしたことを特徴とする低周波治療器。
【請求項２】
前記本体の操作ボタンは、少なくとも開始／停止ボタンおよびパルス高／低調節ボタンを備えることを特徴とする請求項１記載の低周波治療器。
【請求項３】
前記本体は、上端部位および下端部位を備え、前記二つのジャックは前記本体の上端部位に位置することを特徴とする請求項１または２記載の低周波治療器。
【請求項４】
前記温度センサユニットは、前記本体の下端部位に位置することを特徴とする請求項３記載の低周波治療器。
【請求項５】
前記本体は、上端部位および下端部位を備え、前記温度センサユニットは前記本体の下端部位に位置することを特徴とする請求項１または２記載の低周波治療器。
【考案の詳細な説明】
【技術分野】
【０００１】
本考案は、低周波治療器に係り、特に温度センサユニットを備え、温度測定が可能な低周波治療器に関する。
【背景技術】
【０００２】
学術研究によると、低周波治療器は、中国医学理論における人体の筋肉マッサージを行うことができ、該低周波治療器を使用して人体のつぼの正確な位置に基づいて、電気刺激パルスによって押す、叩く、揉む、つかむなどのマッサージを行うことにより、血液循環を促進したり、筋肉や関節の運動や過労などによる痛みを減少させたりでき、また同時に人体のつぼを刺激することによって痛みを取り除いたり、鍼灸効果を達成したりすることができることが知られている。また、低周波治療器は、リンパ液循環を促進することもでき、毒素の除去や脂肪除去を行うこともできる。
【０００３】
本考案の出願人は、台湾において特許文献１の「多機能低周波治療器」を出願している。この低周波治療器は、マッサージ装置内の電子刺激パルス生成方式に関するものであり、主に、電気刺激パルス生成器によって電気刺激パルスを生成し、その電気刺激パルスは関連する制御を受けて粘着パッドに出力され、粘着パッド部分によってマッサージを行うものである。正常な状況下で低周波治療器を使用した場合は、人体に有益であり、電気刺激パルスが断続的に人体を刺激するとき、使用者は実際に人にマッサージされているような快適な感覚を得ることができ、マッサージ部位は電気刺激パルスによって高温に感じられ、使用者は快適な状態を保持することができる。
【０００４】
人体の健康状態は、体温測定またはその他の初期検査（例えば血圧測定）を行うことによって判断することができ、問診時も先ずこれらの検査を行い、次に病状を詳しく把握する。従って、本考案は、使用者が現在の体温を把握して、マッサージを施し、多元的な人体生理機能の検査を行うことができる温度測定が可能な低周波治療器を提供する。
【特許文献１】台湾専利公告第Ｍ２８０８１８号
【考案の開示】
【考案が解決しようとする課題】
【０００５】
本考案の第１の目的は、温度センサユニットを設け、体温データを随時測定でき、測定した体温データに基づき、人体の異常部位を感知することができ、同時に基本的な健康状況を検査できる機能を備えた温度測定が可能な低周波治療器を提供することにある。
【０００６】
本考案の第２の目的は、延伸温度センサユニットを挿入接続できるジャックおよび延伸粘着パッドを挿入接続できるジャックを備え、使用者は延長ケーブルによって遠端部位や背部の温度測定やマッサージを行うことができ、到達させにくい部位にも使用できる温度測定が可能な低周波治療器を提供することにある。
【０００７】
本考案の第３の目的は、温度センサユニットによって使用者の体温を測定でき、粘着パッド部分の温度測定も体温測定を行うことができ、測定体温を装置内に記録し、この体温データに基づきその温度の下での最適な電気刺激パルスの出力を算出し、使用者に最適なマッサージ効果を与えることができる温度測定が可能な低周波治療器を提供することにある。
【課題を解決するための手段】
【０００８】
上述の課題を解決するために、本考案の低周波治療器は、操作機能を有する本体を備え、複数の操作ボタンが操作パネル上に形成され、少なくとも開始／停止ボタン、電気刺激パルス高／低調節ボタンおよび装置の状態を示す表示モニタを備える。治療器本体上には温度測定が可能な温度センサユニットが設けられ、温度センサユニットを人体の皮膚表面などの測定部位に貼合したとき、温度センサユニットを通じて測定温度データを装置内部に伝送し、表示モニタにその温度を表示する。
【０００９】
治療器の本体上には、延伸温度センサユニットを挿入接続できるジャックおよび延伸粘着パッドを挿入接続して電気刺激パルスを出力できるジャックが設けられ、延長ケーブルによって使用者は遠端部位の温度測定およびマッサージを行うことができる。
【考案の効果】
【００１０】
本考案によれば、治療器の本体上に延伸温度センサユニットを挿入接続できるジャックおよび延伸粘着パッドを挿入接続して電気刺激パルスを出力できるジャックが設けられ、延長ケーブルによって使用者は遠端部位の温度測定およびマッサージを行うことができる。
【考案を実施するための最良の形態】
【００１１】
以下、図面を参照して本考案の実施例を説明する。
【実施例】
【００１２】
図１に示すように、本考案の実施例は操作機能を有する操作パネル１１を備える本体１０を備え、前記操作パネル１１には複数の操作ボタン１１１が設けられ、該操作ボタン１１１は本装置の開始／停止機能を制御したり、電気刺激パルスの出力調節などを制御したり、機種に応じた機能設定を行ったりするのに使用される。表示モニタ１２には使用状態が表示され、上述の操作ボタン１１１による調節情報は表示モニタ１２上に表示される。本体１０の上端部位１３には、二つのジャック１３１、１３２が設けられ、対応する接続プラグと接続され、本体１０の信号は二つのジャック１３１、１３２から入出力される。詳細については後ほど記述する。
【００１３】
図２は、実施例の低周波治療器の底部を示す斜視図である。本体１０の下端部位１４には、温度測定を行うことができる温度センサユニット１４１が設けられている。この温度センサユニット１４１は、例えば高精度の感熱抵抗による測定を行い、本装置内部のセンサチップまたはＡＤＣ回路が正確な電圧差を取得し、温度値を算出する。従って、本装置は、前記温度センサユニット１４１を例えば人体の皮膚表面に貼合したとき、前記温度センサユニット１４１によって測定温度情報を装置内部に伝送し、短時間（数秒）内に表示モニタ１２に測定温度を表示する。本実施例における温度センサユニット１４１の設置位置は、一例を示したものであり、本体１０のその他の位置にも同様に実施することができる。
【００１４】
図３に示すように、本体１０の上端部位１３のジャック１３１には、延伸温度センサユニット２０の接続プラグ２１を挿入接続でき、それによって使用者は遠端部位または背部などの測定しにくい位置の温度測定を行うことができる。同様に、図４は本体１０の上端部位１３の二つのジャック１３１、１３２に延伸温度センサユニット２０の接続プラグ２１および延伸粘着パッド３０の電気刺激パルスを出力する接続プラグ３１を同時に挿入接続する状態を示し、それによって使用者は遠端部位の温度測定およびマッサージを行うことができる。使用者は延長ケーブルを使用した方式によって治療が必要な部位を適時マッサージすることができる。
【００１５】
粘着パッド３２上の二つの電極３２１、３２２からのパルス信号出力は、本体１０の操作パネル１１上の操作ボタン１１１によって制御することができ、この制御情報は表示モニタ１２上に表示される。本実施例では、温度センサユニット１４１、２０から提供されたデータに基づいてプロセッサが最適なパルス信号を算出し、使用者はそれを初期出力設定値とすることができる。
【００１６】
図５は本装置のもう一つの実施例を示す斜視図である。携帯に便利なように、前述の延伸温度センサユニット２０および延伸粘着パッド３０が整合されて温度センサ付き粘着パッド４０が形成されている。接続プラグ４１、４２は、それぞれ異なるジャック１３１、１３２に挿入接続され、延長ケーブルによって接続される。温度センサ付き粘着パッド４０は、温度測定およびマッサージを、時間を前後して行ったり、同時に行ったりすることができ、温度センサユニットと粘着パッド間は隔離材料／方式が設けられることよって相互干渉は起きない。
【００１７】
以上の説明は本考案の好適な実施例を示すものであり、本考案の範囲を制限するものではなく、本考案の明細書および図面の変更はすべて本考案に含まれる。
【図面の簡単な説明】
【００１８】
【図１】本考案の実施例の装置本体を示す斜視図である。
【図２】本考案の実施例の装置本体を別の角度から示す斜視図である。
【図３】ジャックに温度センサユニットを挿入接続した状態を示す斜視図である。
【図４】二つのジャックに温度センサユニットの接続プラグと粘着パッドの接続プラグとを挿入接続する状態を示す斜視図である。
【図５】粘着パッドと温度センサユニットとを整合した状態を示す斜視図である。
【符号の説明】
【００１９】
１０    本体
１１    操作パネル
１１１  操作ボタン
１２    表示モニタ
１３    上端部位
１３１、１３２  ジャック
１４    下端部位
１４１  温度センサユニット
２０    延伸温度センサユニット
２１、３１、４１、４２  接続プラグ
３０    延伸粘着パッド
３２    粘着パッド
３２１、３２２  電極
４０    温度センサ付き粘着パッド
【図１】
0003127329.tif 000003
【図２】
0003127329.tif 000004
【図３】
0003127329.tif 000005
【図４】
0003127329.tif 000006
【図５】
0003127329.tif 000007